(57)【特許請求の範囲】
【請求項１】
Ｘ線を発生するＸ線発生部と、前記Ｘ線発生部から被写体を透過したＸ線を検出するための複数のＸ線検出器を有するＸ線検出部と、前記Ｘ線検出部で得られた信号を補正し画像を再構成する画像生成部を備えたＸ線ＣＴ装置において、
前記複数のＸ線検出器におけるクロストーク補正を前記画像生成部において実施する際に、
前記複数のＸ線検出器の配置の周期性を利用して、
該周期の一部の複数のＸ線検出器におけるクロストーク量の平均値と、
該周期の一部の複数のＸ線検出器におけるクロストーク量の局所的に減衰する成分の補正値と、
を計測し、
前記周期の一部の複数のＸ線検出器におけるクロストーク量の平均値と局所的に減衰する成分の補正値とについての計測結果を利用して、
前記計測した周期の一部以外の残りの部分についての複数のＸ線検出器におけるクロストーク量の平均値と局所的に減衰する成分の補正値とを推測することを特徴とするＸ線ＣＴ装置。
【請求項２】
Ｘ線を発生するＸ線発生部と、前記Ｘ線発生部から被写体を透過したＸ線を検出するための複数のＸ線検出器を有するＸ線検出部と、前記Ｘ線検出部で得られた信号を補正し画像を再構成する画像生成部を備えたＸ線ＣＴ装置において、
前記複数のＸ線検出器におけるクロストーク補正を前記画像生成部において実施する際に、
前記複数のＸ線検出器の配置の周期性を利用して、画像化した結果発生するアーチファクトが低減するように周期的に前記複数のＸ線検出器におけるクロストーク量の局所的に減衰する成分の補正値を推定して補正量を決定することを特徴とするＸ線ＣＴ装置。
【請求項３】
前記クロストーク補正に係る測定において、前記複数のＸ線検出器におけるクロストーク量の平均値の補正量をユーザーの画像の好みや撮像部位に応じて理論値以外の複数のパラメータから選択できることを特徴とする請求項１または請求項２に記載のＸ線ＣＴ装置。
【請求項４】
前記クロストーク補正に係る測定において、前記複数のＸ線検出器におけるクロストーク量の局所的に減衰する成分の補正値のみを補正する機能を搭載したことを特徴とする請求項１乃至請求項３のひとつの請求項に記載のＸ線ＣＴ装置。
【請求項５】
前記複数のＸ線検出器におけるクロストーク量の平均値の補正を行う機能を使用するか非使用かの選択が可能なことを特徴とする請求項１乃至請求項４のひとつの請求項に記載のＸ線ＣＴ装置。
【請求項６】
Ｘ線を発生するＸ線発生部と、前記Ｘ線発生部から被写体を透過したＸ線を検出するための複数のＸ線検出器を有するＸ線検出部と、前記Ｘ線検出部で得られた信号を補正し画像を再構成する画像生成部を備えたＸ線ＣＴ装置において、
前記複数のＸ線検出器の配置の周期性を利用して、周期の一部から、
前記複数のＸ線検出器のあるＸ線検出器においてクロストーク量により減少した信号量と前記クロストークにより他のＸ線検出器において増加した信号量とが同じになるように作成した分布関数と、
該分布関数からのずれ量である複数のＸ線検出器におけるクロストーク量の局所的に減衰する成分の補正値と、
を計測し、
前記周期の一部の複数のＸ線検出器における前記分布関数と、該分布関数からのずれ量である複数のＸ線検出器におけるクロストーク量の局所的に減衰する成分の補正値とについての計測結果を利用して、
前記計測した周期の一部以外の残りの部分についての複数のＸ線検出器におけるクロストーク量の局所的に減衰する成分の補正値を推測することを特徴とするＸ線ＣＴ装置。
【請求項７】
前記複数のＸ線検出器の配置の周期性を利用して画像化した結果発生するアーチファクトが低減するように前記複数のＸ線検出器におけるクロストーク量の局所的に減衰する成分の補正値を推定して決定することを特徴とする請求項６に記載のＸ線ＣＴ装置。
【発明の詳細な説明】
【技術分野】
【０００１】
本発明は、Ｘ線検出器のクロストークを補正するＸ線ＣＴ装置に関する。
【背景技術】
【０００２】
Ｘ線ＣＴ装置とは、被写体にＸ線を照射するＸ線源と、そのＸ線源と対向する位置に、被写体を透過したＸ線を検出する被写体撮影用Ｘ線検出器を有し、被写体の周りを回転撮像することによって得た複数方向の投影データをもとに、被写体内部のＸ線吸収率の違いを、データ処理系を用いて画像として再構成するための装置である。
検出器に入射したＸ線は光子(蛍光)に変換され、その光子は同一検出器内のフォトダイオードにて光電変換され、電気信号として後段の回路で処理される。しかし、一部の信号は入射した検出器ではなく周囲の検出器で電気信号となる。この現象をクロストークという。
【０００３】
クロストークの発生する過程としての種類は、検出器内部で散乱したＸ線が他の検出器で検出されるＸ線クロストーク、Ｘ線が変換された光子が隣接検出器に移動した後にフォトダイオードにて光電変換される光クロストークなどがある。クロストークが発生すると隣接する検出器に信号が漏れるため画像が暈けたり、アーチファクト（偽像）が発生したりすることがある。
特許文献１ではクロストーク量を予め見積もり、補正する技術を開示している。また、特許文献２ではクロストーク補正と画像の再構成における演算速度を向上させる技術を開示している。
【先行技術文献】
【特許文献】
【０００４】
【特許文献１】特開２００５−２５３８１５号公報
【特許文献２】特開２００８−１４２１４６号公報
【発明の概要】
【発明が解決しようとする課題】
【０００５】
しかしながら、特許文献１に開示されたクロストーク量を予め見積もり、補正する方法においては、演算によるレスポンスの低下があり、Ｘ線ＣＴ装置で救急患者の状態把握などに使用する際には必ずしも充分ではないという問題がある。
また、特許文献２に開示された演算速度を向上させる方法においては、この過程を実現するための演算コスト（演算装置を構成する部品の追加、高性能部品の使用）がかかるという問題がある。
【０００６】
そこで、本発明は、Ｘ線ＣＴ装置のクロストーク補正時の演算量の低減と、演算スループットを向上させることを目的とする。
【課題を解決するための手段】
【０００７】
前記の課題を解決して、本発明の目的を達成するために、以下のように構成した。
すなわち、Ｘ線を発生するＸ線発生部と、前記Ｘ線発生部から被写体を透過したＸ線を検出するための複数のＸ線検出器を有するＸ線検出部と、前記Ｘ線検出部で得られた信号を補正し画像を再構成する画像生成部を備えたＸ線ＣＴ装置において、前記複数のＸ線検出器におけるクロストーク補正を前記画像生成部において実施する際に、前記複数のＸ線検出器の配置の周期性を利用して、該周期の一部の複数のＸ線検出器におけるクロストーク量の平均値と、該周期の一部の複数のＸ線検出器におけるクロストーク量の局所的に減衰する成分の補正値と、を計測し、前記周期の一部の複数のＸ線検出器におけるクロストーク量の平均値と局所的に減衰する成分の補正値とについての計測結果を利用して、前記計測した周期の一部以外の残りの部分についての複数のＸ線検出器におけるクロストーク量の平均値と局所的に減衰する成分の補正値とを推測する。
【発明の効果】
【０００８】
本発明によれば、Ｘ線ＣＴ装置のクロストーク補正時の演算量が低減し、演算スループットが向上する。
【図面の簡単な説明】
【０００９】
【図１】本発明の実施形態におけるＸ線ＣＴ装置の概略を示す構成図である。
【図２】本発明の第１の実施形態におけるクロストーク補正データの取得方法を示すフローチャートである。
【図３】本発明の第１の実施形態におけるクロストーク量測定方法を示す図である。
【図４】本発明の第１の実施形態におけるクロストーク補正の手順を示すフローチャートである。
【図５】本発明の第２の実施形態におけるクロストーク量測定方法を示す図である。
【図６】本発明の第２の実施形態におけるクロストーク補正データの取得方法を示すフローチャートである。
【図７】本発明の第３の実施形態におけるクロストーク量測定方法を示す図である。
【図８】本発明の第３の実施形態におけるクロストーク補正データの取得方法を示すフローチャートである。
【発明を実施するための形態】
【００１０】
本発明の実施形態を次に説明する。
（第１の実施形態）
本発明の第１の実施形態を図１から図４を用いて説明する。
まず、「Ｘ線ＣＴ装置の概略構成」、「Ｘ線管、Ｘ線検出器、撮影手段」、「画像生成部」などの構成について説明する。
その後に「クロストーク補正データ取得のフローチャート」を述べるとともに、そのフローにおける「各検出器の信号の拡がりを計測」、「感度を補正」、「補正の全体成分を計算」、「局所減衰成分を計算」を説明する。さらに「撮像の流れ」において、「撮影条件設定ステップ」、「撮像ステップ」を説明する。また、「撮像の流れ」に本来は含まれている「画像化」については「データの画像化」として説明する。以上のような方法について説明する。
そして、「クロストーク補正において局所減衰成分と全体成分を分割補正可能の正当性の証明」でこの手法が理論的根拠に則っていることを説明する。
また、この手法の「期待効果」についても説明する。
以上について、順に述べる。
【００１１】
＜Ｘ線ＣＴ装置の概略構成＞
本発明の実施対象となるＸ線ＣＴ装置１００の概略の構成を図１に示す。Ｘ線ＣＴ装置１００は入力手段２００と、撮影手段３００と、画像生成部４００とを備えている。
また、撮影手段３００は、Ｘ線発生部３１０、Ｘ線検出部３２０、ガントリー３３０、撮影制御部３４０、および被写体搭載用テーブル５０１を備えている。
また、画像生成部４００は、信号収集部４１０、データ処理部４２０、および画像表示部４４０を備えている。
また、入力手段２００における撮影条件入力部２１０は、キーボード２１１、マウス２１２、モニタ２１３により構成する。モニタ２１３はタッチパネル機能を有し、入力装置として使用するのもよい。
【００１２】
なお、入力手段２００および画像生成部４００は、必ずしもＸ線ＣＴ装置１００と一体である必要はない。例えばネットワークを介して接続された別の装置によって、その動作を実現させてもよい。
また、画像生成部４００と入力手段２００の両方の機能を併せ持つ装置を使用して実現してもよい。
【００１３】
撮影手段３００におけるＸ線発生部３１０は、Ｘ線管３１１を備えている。また、Ｘ線検出部３２０は、Ｘ線検出器３２１を備えている。
また、ガントリー（Gantry：溝台）３３０の中央には被写体５００および被写体搭載用テーブル５０１を配置するための円形の開口部３３１が設けられている。ガントリー３３０内には、Ｘ線管３１１およびＸ線検出器３２１を搭載する回転板３３２と、回転板３３２を回転させるための駆動機構（不図示）とを備えている。
また、被写体搭載用テーブル５０１には、ガントリー３３０に対する被写体５００の位置を調整するための駆動機構（不図示）が備えられている。
【００１４】
また、撮影制御部３４０は、Ｘ線管３１１を制御するＸ線制御器３４１、回転板３３２の回転駆動を制御するガントリー制御器３４２、被写体搭載用テーブル５０１の駆動を制御するテーブル制御器３４３、Ｘ線検出器３２１の撮像を制御する検出器制御器３４４、およびＸ線制御器３４１、ガントリー制御器３４２、テーブル制御器３４３、検出器制御器３４４の動作の流れを制御する統括制御器３４５を含んでいる。
【００１５】
＜Ｘ線管、Ｘ線検出器、撮影手段＞
Ｘ線管３１１のＸ線発生点とＸ線検出器３２１のＸ線入力面との距離は、本実施形態では１０００ｍｍと設定する。ガントリー３３０の開口部３３１の直径は、本実施形態では７００ｍｍに設定する。
Ｘ線検出器３２１は、シンチレータ（Scintillator：Ｘ線や電離放射線を受けて蛍光を発する）、およびフォトダイオード（蛍光などの光を電気に変換する）等から構成される公知のＸ線検出器を使用する。Ｘ線検出器３２１は、Ｘ線管３１１のＸ線発生点から等距離に多数の検出素子を円弧状に配列した構成であり、その素子数（チャンネル数）は、例えば１０００個である。各検出素子のチャンネル方向のサイズは、例えば１ｍｍである。
【００１６】
回転板３３２の回転の所要時間は、ユーザが撮影条件入力部２１０を用いて入力したパラメータに依存する。本実施形態では回転の所要時間を１．０ｓ／回とする。
撮影手段３００の１回転における撮影回数は、９００回であり、回転板３３２が０．４度回転する毎に１回の撮影が行われる。
なお前記各仕様はこれらの値に限定されるものはなく、Ｘ線ＣＴ装置の構成に応じて種々変更可能である。
【００１７】
＜画像生成部＞
画像生成部４００は信号収集部４１０、データ処理部４２０および画像表示部４４０を備えている。
信号収集部４１０は、データ収集システム（ＤＡＳ：Data Acquisition System、以下ＤＡＳと表記）４１１を含んでいる。ＤＡＳ４１１は、前記したＸ線検出器３２１の検出結果をディジタル信号に変換する。
データ処理部４２０は、中央処理装置（ＣＰＵ：Central Processing Unit）４２１、メモリ４２２およびＨＤＤ（Hard disk drive）装置４２３を含む。中央処理装置４２１およびメモリ４２２において、所定のプログラムを展開・起動することで補正演算、画像の再構成処理などの各種処理を行う。ＨＤＤ装置４２３は、データの保存や入出力を行う。
画像表示部４４０は、液晶ディスプレイやＣＲＴ（Cathode Ray Tube）等の画像表示モニタ４４１を備えて構成される。
【００１８】
＜クロストーク補正データ取得のフローチャート＞
Ｘ線ＣＴ装置１００（図１）によるクロストーク補正データの取得方法、手段を図２のフローチャートを用いて示す。
なお、フローチャートは「各検出器の信号の広がりを計測」、「感度を補正」、「全体成分を計算」、「局所減衰成分を計算」の各ステップからなる。
【００１９】
［各検出器の信号の広がりを計測］
まず、各検出器（Ｘ線検出器）の信号の広がりを計測する（ステップＳ７０１）。
計測方法は図３に示すように１つのＸ線検出器３２１ａにだけＸ線信号およびそれによって発生した光が入射するように設計された遮蔽体５０３を用いて信号を計測する。このとき、本例ではＸ線検出器３２１ａのほかに、両隣のＸ線検出器３２１ｂ、及びＸ線検出器３２１ｃにおいて二次的に発光（Ｘ線が一次として）している信号を計測したとする。
【００２０】
そして、遮蔽体５０３を移動し、Ｘ線検出器３２１ｂにだけＸ線信号およびそれによって発生した光が入射するようして計測する。これらの計測により、本来入射すべき信号とその周囲で二次的に発光している信号を計測する。
このとき、各Ｘ線検出器の入射光量が同一になるようにする。例えばＸ線の光量に分布がある場合（図３のそれぞれ３２１ａ、３２１ｂのみ光を当てた時の信号量）は、予めＸ線の光量の分布を計測しておき、基準光量の信号量に規格化する。
【００２１】
その結果、すべてのＸ線検出器３２１のクロストークによる流出量が同じであれば、本来入射すべきＸ線検出器の信号は感度に比例した値となる。クロストーク量は同一のＸ線検出器サイズで同一の光量を照射した場合にはほとんど変化しないため、すべてのＸ線検出器３２１のクロストークによる流出量が同じという仮定に伴う誤差ほとんどない。その結果、本来入射すべきＸ線検出器の信号から、各Ｘ線検出器３２１の感度の算出が可能となり、感度補正データが作成できる。具体的には、各Ｘ線検出器３２１に直接信号が入射する場合における、基準光量の信号量に規格化した値の逆数である。
【００２２】
［感度を補正］
次に、感度補正を実施する（ステップＳ７０２）。
感度補正は前記のステップＳ７０１で得たデータを用いて、ステップＳ７０１で得た信号を広がり分も含めて補正する。
感度補正方法を以下に示す。ステップＳ７０１で計測した遮蔽体５０３を使用したときに本来入射すべきＸ線検出器の信号で、計測データを割り、各検出器の感度差を補正する。例えば、ステップＳ７０１でＸ線検出器３２１ａにだけ光が当たるように遮蔽体５０３の位置をセットした場合に、両隣のＸ線検出器３２１ｂ、及びＸ線検出器３２１ｃにおいても信号が発生している。
【００２３】
このとき、Ｘ線検出器３２１ｂの信号はクロストークに起因する信号であるが、Ｘ線検出器各々の感度誤差も含んでいる。そこで、本来入射すべきＸ線検出器の信号がＸ線検出器３２１ａである場合にＸ線検出器３２１ｂで検出した信号を、本来入射すべきＸ線検出器の信号がＸ線検出器Ｘ線検出器３２１ｂの場合の信号量で割ることで基準光量の信号量に規格化した信号量となる。
【００２４】
なお、Ｘ線検出器３２１ａについても同様に本来入射すべきＸ線検出器の信号がＸ線検出器３２１ａの場合の信号で割る。つまり、同じ値で割ることになるため、本来入射すべきＸ線検出器の信号の補正後の値は必ず１となる。本来入射すべきＸ線検出器以外の検出器は、本来入射すべきＸ線検出器に１の光があたった場合に、発生する信号量を示している。この本来入射すべきＸ線検出器の信号以外の信号がクロストーク量である。
【００２５】
［全体成分を計算］
次に、ステップＳ７０１、ステップＳ７０２で求めた感度補正後のデータからクロストーク補正の全体成分を計算する（ステップＳ７０３）。
全体成分の計算方法の一例を示す。まず、各検出器の本来、入射すべきＸ線検出器の信号以外の信号量の総和を求める。
【００２６】
本例の場合、本来入射すべきＸ線検出器がＸ線検出器３２１ａであるとき、両隣のＸ線検出器３２１ｂ、及びＸ線検出器３２１ｃで信号が発生しているため、この２つの信号の和を計算する。その信号量が最大となるチャンネルでは減衰が起こってないとして基準チャンネルとし、そのチャンネルにおけるクロストーク量を全体成分に係る補正の補正量とする。
【００２７】
例えば本例の場合、本来入射すべきＸ線検出器の信号以外の信号量の総和が最大となる検出器がＸ線検出器３２１ａである場合、本来入射すべきＸ線検出器の信号の右隣の検出器のクロストーク量は感度補正実施後のＸ線検出器３２１ｂの値であり、左隣の検出器のクロストーク量は感度補正実施後のＸ線検出器３２１ｃの値である
なお、最大となるチャンネルが複数ある場合はそれらの平均をとってもよい。
【００２８】
［局所減衰成分を計算］
最後に局所減衰成分を計算する（ステップＳ７０４）。
各チャンネルの局所減衰成分は、各チャンネルの補正量と前記のステップＳ７０３で求めた全体成分の補正量との差である。その値をすべてのチャンネルについて計算する。
本例の場合、ステップＳ７０３における基準チャンネルはＸ線検出器３２１ａであるとした。このときの、Ｘ線検出器３２１ｄにおける局所減衰成分の計算例を示す。
【００２９】
Ｘ線検出器３２１ｄに入射する信号量は１に規格化されているため計算対象とはならない。その両隣のＸ線検出器３２１ｅ、及びＸ線検出器３２１ｆについて、基準チャンネルＸ線検出器３２１ａの両隣の検出器であるＸ線検出器３２１ｂ、及びＸ線検出器３２１ｃとの差異を計算する。例えばＸ線検出器３２１ｅにおける局所減衰成分は（Ｘ線検出器３２１ｅ）−（Ｘ線検出器３２１ｂ）で求める。
【００３０】
同様にＸ線検出器３２１ｆにおける局所減衰成分は（Ｘ線検出器３２１ｆ）−（Ｘ線検出器３２１ｃ）で求める。これらの局所減衰成分の値は負になることもある。
局所減衰成分が少ない場合は近似的に補正量を０としてもよい。例えば、ある閾値（例えば５％）を設け、閾値以下の誤差の場合は補正量を０とするなどの方法である。
以上により、補正量を決定し、局所減衰補正データとする。そして後記する画像を再構成する際に用いる。
【００３１】
＜撮像の流れ＞
次に、Ｘ線ＣＴ装置１００による撮像の流れを示す。撮像は「撮影条件設定」、「撮像」、及び「画像化」の３つのステップで構成される。ただし、「画像化」については「データの画像化」として、別項目でフローチャートを用いて説明する。
【００３２】
［撮影条件設定ステップ］
撮影条件設定ステップについて示す。図１における撮影条件入力部２１０は、入力画面をモニタ２１３もしくは別のモニタに表示する。操作者が、この画面を見ながら、撮影条件入力部２１０を構成するマウス２１２やキーボード２１１、もしくはモニタ２１３に備えられたタッチパネルセンサ等を操作することにより、Ｘ線管３１１の管電流、管電圧、被写体５００の撮像範囲等を設定する。なお、事前に撮影条件を保存した場合、それを読み出して用いることもできる。この場合、撮影の都度、操作者が入力しなくてもよい。
【００３３】
［撮像ステップ］
次に撮像ステップについて示す。撮像ステップでは、操作者が、撮影開始を指示すると、撮影条件設定ステップで操作者が撮影条件入力部２１０に設定した撮像範囲、管電圧、管電流量の条件で撮影、撮像を行う。
【００３４】
具体的な方法について例を示す。まず、被写体５００を被写体搭載用テーブル５０１上に配置する。図１における統括制御器３４５は、テーブル制御器３４３に対し、被写体搭載用テーブル５０１を回転板３３２に対して垂直な方向に移動させ、回転板３３２の撮影位置が指定された撮影位置と一致した時点で移動を停止するように指示する。これにより、被写体５００の配置が完了する。
統括制御器３４５は、同じタイミングでガントリー制御器３４２に対して駆動モーターを動作させ、回転板３３２の回転を開始する指示も併せて実施する。
回転板３３２の回転が定速状態になり、かつ被写体５００の配置が終了すると、統括制御器３４５はＸ線制御器３４１に対しＸ線管３１１のＸ線照射タイミングを指示し、また検出器制御器３４４に対しＸ線検出器３２１の撮影タイミングを指示する。そして撮影を開始する。これらの指示を繰り返すことで撮像範囲全体を撮像する。
【００３５】
なお、被写体搭載用テーブル５０１が移動、停止を繰り返しているが、公知のヘリカルスキャン（Helical Scan）のように被写体搭載用テーブル５０１を移動させながら撮像してもよい。
Ｘ線検出器３２１の出力信号は、信号収集部４１０に備えられたＤＡＳ４１１によってディジタル信号に変換された後、後記する画像化の際の工程上の都合により、一旦、ＨＤＤ装置４２３に保存される。
【００３６】
＜データの画像化＞
次に、保存されたデータの画像化のステップについて、図４を用いて説明する。
画像化のステップにおける演算は、すべて図１に示したデータ処理部４２０に備えられた中央処理装置４２１とメモリ４２２、およびＨＤＤ装置４２３を用いて行われる。
【００３７】
まず、局所減衰補正である「局所減衰成分クロストーク補正」を実施する(ステップＳ８０１)。
補正値には図２の「局所減衰成分を計算」ステップＳ７０４で作成した局所減衰補正データを使用する。
【００３８】
その後、「Ｌｏｇ変換」（ｌｏｇ変換）を実施する（ステップＳ８０２）。
なお、Ｌｏｇ変換を行うのは、Ｘ線や光の信号は透過や散乱において、一般的には指数関数的に減衰するので、演算処理において信号をＬｏｇ変換しておくと、積の演算量が和の演算量ですむといった演算上の都合がよいことが一般的に多いからである。
【００３９】
その他の補正である「各種補正」を実施する（ステップＳ８０３）。
この補正は前述した局所減衰補正「局所減衰成分クロストーク補正」(ステップＳ８０１)以外にも、補正した方がよい事項や現象がある場合に、このステップＳ８０３で行う。したがって、「各種補正」ステップＳ８０３が行われない場合もある。
【００４０】
その後、図２のステップＳ７０３で作成した全体成分の補正データを用いて全体の補正を実施しながら再構成を実施する「再構成、全体成分クロストーク補正を同時に実施」（ステップＳ８０４）。
なお、「同時」は厳密な意味での同時である必要はなく、「併せて」といった意味である。
【００４１】
なお、最後にステップＳ８０４で得られた再構成後の画像をＨＤＤ装置４２３（図１）に保存する。保存した画像はユーザーの命令、もしくは自動的に画像表示モニタ４４１（図１）に映し出され、ユーザーがその画像を用いて診断する。
【００４２】
なお、以上において、局所減衰補正である「局所減衰成分クロストーク補正」をステップＳ８０１において行い、全体補正データを用いて全体の補正と再構成である「再構成、全体成分クロストーク補正を同時に実施」をステップＳ８０４に行っている。このようにクロストーク補正を分割したのが本実施形態の特徴である。
次にこのようにステップＳ８０１とステップＳ８０４にクロストーク補正を分割しても近似的に問題が無いことを、次に説明とともに証明をする。
【００４３】
＜クロストーク補正において局所減衰成分と全体成分を分割補正可能の正当性の証明＞
図３において、Ｘ線検出部３２０に配備された複数のＸ線検出器３２１で位置ｘにおけるＸ線検出器３２１ａに入射した信号をｍ（ｘ）とする。また、Ｘ線検出器３２１ａが検出する信号をＳ(x)とする。この入射信号のｍ（ｘ）は散乱したり、他からノイズを受けたりするので検出信号Ｓ(x)とは一般的には等しくはなく、次式の［数１］で表される。
【数１】
0005579505.tif 000002
【００４４】
ここで、ｔは離散的な位置を表す（時間ではない）。ｇ（ｘ-ｔ）はクロストークの暈けの広がり関数であり、ｄtxはＸ線検出器ｔからＸ線検出器ｘへの局所での信号減衰係数を示す。局所減衰成分を補正した信号をＳ’（ｘ）とすると、
【数２】
0005579505.tif 000003
と表せる。
【００４５】
ここでＳ（ｘ）≫Ｐ（ｘ）、および、ｍ（ｘ）≫Ｐ（ｘ）として、Ｓ’（ｘ）をＬｏｇ変換（ｌｏｇ変換）すると、［数２］は、
【数３】
0005579505.tif 000004
となる［数３］。
【００４６】
ここで、ｍ（ｘ）≫Ｐ（ｘ）から、（Ｐ（ｘ）／ｍ（ｘ））は１より充分に小さいので、ｌｏｇ（１＋ｘ）の１次のテイラー展開近似である（ｌｏｇ（１＋ｘ）≒ｘ）を用いると、［数３］は以下のように変形できる。なお、ここでは（Ｐ（ｘ）／ｍ（ｘ））を前記した（ｌｏｇ（１＋ｘ）≒ｘ）におけるｘに見立てている。
【数４】
0005579505.tif 000005
となる［数４］。
【００４７】
ここで重要なのは減衰分を補正した信号を用いているため、Σｇ（ｔ）＝０が成り立つ
ことに着目する。これはあるＸ線検出器から流出した信号がすべてどこかのＸ線検出器で検出されていることを意味する。その場合は、画像フィルタで補正が可能である。
【００４８】
例えば広がり関数を両隣のＸ線検出器にのみ広がる場合を考える。
【数５】
0005579505.tif 000006
この［数５］は、左右の両隣のＸ線検出器のみから影響を受け、かつ与える場合を仮定している。左右（ｔ＝ｘ±１）のＸ線検出器からは、それぞれｗ分のクロストークの信号を受け、自分自身（ｔ＝ｘ）のＸ線検出器からは２ｗ分信号が散乱して左右両隣へ逃げる（−２ｗ）場合を意味している。なお、ｗはクロストークの信号強度を表す定数である。また、［数５］においては、Σｇ（ｔ）＝０が成立している。
【００４９】
ここで、信号量の変化が緩やかであると仮定すると、［数４］はさらに以下のように変形できる。
【数６】
0005579505.tif 000007
となる［数６］。
【００５０】
ここで、ｍ（ｘ）の信号変化は緩やかであるとすれば、ここではｍ（ｘ−１）とｍ（ｘ）は隣同士であり、値としては近いので、（ｍ（ｘ−１）／ｍ（ｘ））≒１である。よって、ｍ（ｘ−１）／ｍ（ｘ）−１≒０となる。つまり、（ｍ（ｘ−１）／ｍ（ｘ）−１）を前記したｌｏｇ（１＋ｘ）の１次のテイラー展開近似（ｌｏｇ（１＋ｘ）≒ｘ）のｘに見立てれば、以下に示す式変形が可能となる。また、ｍ（ｘ＋１）とｍ（ｘ）は隣同士であり、値としては近いので、前記したｍ（ｘ−１）とｍ（ｘ）の関係で用いた理由と同じ理由で以下の式変形が可能となる。
【００５１】
以上より、［数６］は以下の［数７］の近似が可能となる。
【数７】
0005579505.tif 000008
の形になる。
なお、前記した近似は［数７］の１段目から２段目の式変形に用いている。
【００５２】
また、以上から、
【数８】
0005579505.tif 000009
となることがわかる。
【００５３】
前記の説明においては、隣のＸ線検出器にのみ広がることを仮定したが、一般的にΣｇ
（ｔ）＝０の場合にのみ、同様の近似を使用して［数８］は、
【数９】
0005579505.tif 000010
の形で表記することが可能である。
【００５４】
この［数９］の式において、Ｓ’（ｘ）はＸ線検出器で検出し、補正をかければ既知の値となる。この既知のＳ’（ｘ）からｍ（ｘ）が算出できれば、クロストークの影響を取り除いたＸ線検出器３２１へ入射したＸ線信号を知ることができる。つまり真の画像を構成することにつながるＸ線信号ｍ（ｘ）を知ることができる。
【００５５】
［数９］の形に非常に近いものとして、ｌｏｇ（Ｓ（ｘ））がｌｏｇ（ｍ（ｘ））とその係数の積和で表されたとき、ｌｏｇ（Ｓ（ｘ））からｌｏｇ（ｍ（ｘ））を求める方法は、公知のデコンボリューション法で可能である。式の上での相違はＳ’（ｘ）とＳ（ｘ）である。したがって、［数９］が求められているので、ｌｏｇ（Ｓ’（ｘ））からｌｏｇ（ｍ（ｘ））への変換が公知のデコンボリューション法で可能である。
本実施形態では前記したように、公知のデコンボリューション法が使用できる。それとともに、従来の公知例ではＳ（ｘ）に対して適用していたのに対し、本実施形態ではＳ’（ｘ）に対してデコンボリューション法を適用できる。Ｓ’（ｘ）は既に補正がかけられた信号であるので、従来のＳ（ｘ）を用いる場合よりも、精度よく画像を構成することにつながるｍ（ｘ）を再構成できる。
【００５６】
なお、［数９］において、ｌｏｇ（Ｓ’（ｘ））とｌｏｇ（ｍ（ｘ））その係数ａiの関係式を行列式の表記とすれば、係数ａiの逆行列式がｌｏｇ（ｍ（ｘ））の算出の過程で必要となる。この係数ａiの逆行列式は［数９］から直ちに算出可能であって、これをデコンボリューションフィルタとしてソフト上での演算のときに使用することにより全体の補正ができる。なお、この演算はＬｏｇ変換後でも可能である。
【００５７】
以上から、図４で示したフローチャートの手順に基づいて補正と再構成を行う方法が近似的に成立することがわかる。この結果を用いて再構成フィルタ上でデコンボリューションを実施することでクロストーク補正が可能となる。
なお、図４において、ステップＳ８０１の「局所減衰成分クロストーク補正」が［数１］と［数２］によるＳ（ｘ）からＳ’（ｘ）の変換である。このＳ（ｘ）からＳ’（ｘ）の変換は次のステップＳ８０２のＬｏｇ変換の前であるので、Σｇ（ｔ）＝０が保証され
ている。
また、ステップＳ８０２の「Ｌｏｇ変換」は［数２］から［数３］の変換に相当する演算である。
【００５８】
また、ステップＳ８０３の「各種補正」は、前記以外の補正であって、［数１］から［数９］に特に該当するものはない。必要な補正があれば、画像の再構成の前までに追加して補正し、全体の画像の再構成の際に反映される。
また、ステップＳ８０４の「再構成、全体成分クロストーク補正を同時実施」は［数９］を用い、かつ前記したデコンボリューションの演算によって、補正と画像の再構成を行う段階に相当する。
【００５９】
＜期待効果＞
本実施形態では以下の効果が期待できる。
［１］前記デコンボリューションフィルタを求めておけば、クロストークの全体成分の補正は演算に時間がかからない上、局所減衰成分の補正量は全体の傾向を除いた分だけしか補正しないため、演算する量が大きく減る。そのため演算時間が短縮可能となる。
［２］本実施形態では局所減衰成分を先に実施するため１次近似の精度において妥当である。すべてのクロストーク補正をＬｏｇ変換後に実施した場合、Σｇ（ｔ）＝０が保証
されないため、単純なデコンボリューションフィルタでは表せない。その結果誤差が生じてしまいアーチファクトの原因となる。本発明の方法ではＬｏｇ変換後の単純なデコンボリューションに比べて精度が高い。
【００６０】
なお、本実施形態では遮蔽体５０３を用いて感度も同時に測定したが、別の方法で感度を測定してもよい。また、局所減衰成分、全体成分の取得方法に関してもあくまで一例であり他の方法で補正量を取得してもよい。
【００６１】
（第２の実施形態）
第１の実施形態では局所的な減衰がＸ線検出器毎に異なる例を示したが、第２の実施形態ではＸ線検出器の構造の特性上、一定のパターンでクロストークの減衰が発生する場合について示す。
例えば、Ｘ線検出器を複数個結合したモジュールを使用してＸ線検出部を作成する場合、そのモジュールの継ぎ目でクロストークの局所の影響が変化することがある。モジュール端部では通常検出器間のサイズが大きくなったり、製作を容易にするために空隙が存在したりすることが多い。一方、モジュールの中央付近ではＸ線検出器が等間隔に並んでいるため、中央付近のＸ線検出器の特性は似通っている。その結果、モジュール端部でのみクロストーク量が変化することが多い。このような場合、補正値の求め方を簡素化することが可能である。
以下にこの場合の補正値の求め方を示す。
【００６２】
＜簡素化した補正値の求め方＞
第２の実施形態におけるＸ線検出部、及び説明に必要な構造物と構成を図５に示す。基本的な構造物と構成は図１に示すＸ線ＣＴ装置１００と同じであるが、Ｘ線検出部３２０（図１）の構造が異なっている。
図５に示す第２の実施形態ではＸ線検出部３２０ａが用いられている。Ｘ線検出部３２０ａはＸ線検出器３２１（３２１ｇ、３２１ｈ、・・・）をいくつか結合した検出器モジュール３２２を複数用いて構成される。
【００６３】
この場合、Ｘ線検出器３２１のクロストークは、例えば検出器モジュール３２２の中央のＸ線検出器３２１ｇと端部のＸ線検出器３２１ｈで特性が異なることが多い（図５参照）。ただし、Ｘ線検出器３２１をいくつか結合した検出器モジュール３２２としては、他の検出器モジュールとクロストーク特性がほぼ同じになることが多い。
そこで、検出器モジュール３２２の端部と中央での差異を計測する。計測方法は第１の実施形態と同様に１つのＸ線検出器にだけ光が入射するように設計されたピンホールコリメータを用いて本来入射すべき信号とその周囲で発光している信号を計測することで取得する。
【００６４】
このとき、図５の検出器モジュール３２２のみを計測し、それ以外の検出器モジュールについては計測しない。つまり、検出器モジュール３２２を代表して検出器モジュールの共通の特性として扱い、他の検出器モジュールの計測を省く。
具体的な計測方法と補正量計算を図６のフローチャートを使って示す。
【００６５】
＜計測方法と補正量計算のフローチャート＞
まず、検出器モジュール３２２内の各検出器の信号の広がりを計測する「モジュール３２２の各検出器の信号の広がりを計測」（ステップＳ７１１）。
計測方法は第１の実施形態の計測で示したように、１つの検出器にだけ光が入射するように設計された遮蔽体５０３を用いて、本来入射すべき信号とその周囲で発光している信号を計測する（図５のそれぞれ３２１ｇ、３２１ｈのみ光を当てた時の信号量）。第１の実施形態と同様に感度補正データを作成する。
【００６６】
次に、ステップＳ７１１で得られた信号データの感度補正を実施する「モジュール３２２の各検出器の感度を補正」（ステップＳ７１２）。
方法は第１の実施形態と同様であるが、検出器モジュール３２２以外については実施しなくてよい。これは各検出器モジュールは検出器モジュール３２２とほぼ同じ特性が期待できるという仮定に基づいている。
【００６７】
次に、求めた感度補正後のデータからクロストーク補正に係る全体成分を計算して、抽出する「モジュール３２２の全体成分を計算」（ステップＳ７１３）。
これも、検出器モジュール３２２のＸ線検出器に対してのみ実施する。
【００６８】
次に局所減衰成分を計算する「モジュール３２２の局所減衰成分を計算」（ステップＳ７１４）。
これも、検出器モジュール３２２のＸ線検出器に対してのみ実施する。
【００６９】
最後に、全体成分、および局所減衰成分をＸ線検出部３２０ａ全体に展開する「モジュール３２２の全体成分、局所減衰成分をＸ線検出部３２０ａ全体に展開」（ステップＳ７１５）。
具体的には検出器モジュール３２２に対して同じ位置にあたるＸ線検出器のクロストーク補正量を検出器モジュール３２２で計測した補正量とみなして全体成分、局所減衰成分のデータを作成する。
【００７０】
これにより第１の実施形態で前記した［１］、［２］の効果に加えて、以下の効果が期待できる。
［３］計測する検出器モジュール数を減らすことによって、補正計測時間の短縮が可能となる。
なお、１検出器モジュールだけでなく、２検出器モジュールや３検出器モジュールなど全部ではないいくつかの検出器モジュールを代表として計測してもよい。
【００７１】
＜さらなる効果＞
この場合、［１］〜［３］の効果に加えて以下の効果がある。
［４］複数のＸ線検出器の平均を取ることで、補正計測時のばらつきの抑制が可能となる。
［５］代表検出器モジュールの一部が故障していた場合に、他の検出器モジュールとの比較により故障検知が可能となる。
また、検出器モジュール構造による周期性を利用したが、例えば検出器モジュール内のＸ線検出器のサイズの差異や、Ｘ線検出器内部の反射材の厚さの差異など、そのほかの周期構造に伴って局所的なクロストークの差異が発生する場合にも、該当する周期に従って補正データを作成してもよい。
【００７２】
（第３の実施形態）
第２の実施形態では周期構造による局所的な減衰量の計測方法を示したが、第３の実施形態では第２の実施形態での遮蔽体とは異なる別のファントムを用いた計測で補正する方法について示す。
装置構造は図１と図５で示した第２の実施形態と同一のものを使用する。第２の実施形態との差異は図７に示すように異なるファントムを使用する。
【００７３】
＜クロストーク誤差測定ファントム＞
図７（ａ）に示すように遮蔽体５０３（図５）の代わりにクロストーク誤差測定ファントム５０４を使用する。クロストーク誤差測定ファントム５０４としては、例えばテフロン（登録商標）リングなどの、減衰量が大きく、かつ、減衰量の差異が大きいファントムを使用する。減衰量の差異が大きい部分ではクロストークの流入量と流出量が大きく異なる。それは、クロストーク量の流出量があたっている光の信号量に比例するためである。
【００７４】
そこで、このような減衰量の差異が大きいファントムを用いてクロストークの差の大きい場所で計測する。このとき、局所減衰補正が正しく実施されているかどうかをみることで局所減衰補正量を計測する。なお、感度については予め別の方法で補正しておく。
なお、図７（ｂ）は図７（ａ）に示した測定装置におけるクロストーク誤差判定画像５１０の中にアーチファクト５１１が生じている様子を示している。
【００７５】
＜計測方法と補正のフローチャート＞
計測方法と補正について、図８のフローチャートを用いて説明する。なお、適宜、図７を参照する。
【００７６】
まず、クロストーク誤差測定ファントム５０４を用いて「補正用ファントムを撮像」する（ステップＳ７２１）。
【００７７】
そして撮像したデータを「再構成」する（ステップＳ７２２）。
【００７８】
再構成した像を確認し、「アーチファクトの有無を確認」する（ステップＳ７２３）。
【００７９】
図７に示すように、ファントム以外の場所にリングやストリークのアーチファクト５１１が発生する場合（アーチファクト有）、このアーチファクト５１１を打ち消すように「補正量を調整」する（ステップＳ７２４）。
この補正量が適正か否かを確認するためにステップＳ７２２のデータを「再構成」に戻る。
【００８０】
補正量が過補正になった場合と補正不足になった場合で再構成後のアーチファクトが周囲のＣＴ値との差の正負が変化するため、補正値の調整方向は把握可能である。この作業を繰り返してアーチファクト５１１が無くなるまで再調整を実施する。
さらに、ファントムの位置を変更し、複数の位置でアーチファクト５１１が低減することを確認できればより補正の効果が高くなる。
【００８１】
以上の測定と補正量の調整を繰り返し、ステップＳ７２３の「アーチファクトの有無を確認」において、アーチファクトが無くなった場合（アーチファクト無）に、計測と補正を「完了」する（ステップＳ７２５）。
【００８２】
この方法では局所的な変化に対するずれ成分の検出と補正量の抽出が可能である。つまり、局所減衰補正値の取得が可能である。一方、各局所における最適な補正は必ずしも画像全体として見た場合の最適な補正とは限らない。したがって、前記それぞれの局所的な補正の方法だけでは画像全体として見た場合の最適な補正に係る全体効果の補正値の取得は困難である。
【００８３】
＜分解能測定ファントムを使用した全体効果の補正＞
そこで、全体効果の補正に関しては別のファントムを用いて実施する。
全体成分の補正に関しては、クロストーク誤差測定ファントム５０４の代わりに、例えば分解能測定ファントムを使用する。
分解能測定ファントムは、例えば、複数のスリットを異なる間隔（ギャップ）で配置した構造を有し、どの間隔（ギャップ）まで識別できるかによって、分解能を測定するものである。分解能が最も良くなるように全体成分の補正を定義することで補正効果が最大となる。
【００８４】
但し、部位によってはノイズ成分が増大し画質が低下することもあるため、必ずしも補正効果が最大となるところを選ばず、ユーザが最も病変と正常部位の差異を見つけやすい値に設定してもよい。
【００８５】
この方法が使用できるのは、画像に存在するアーチファクトの発生要因がクロストークによるものと断定できる場合に限られる。他のアーチファクトが発生していてもよいが、図８のフローチャートの作業によりクロストーク起因のアーチファクトだけを低減するようにパラメータを調整する必要がある。
【００８６】
＜第３の実施形態の期待効果＞
本実施例により、実施例１の［１］〜［２］の効果に加えて以下の効果が期待できる。
［６］通常の撮像手順で実施可能であり、遮蔽体を用いてＸ線が１検出器だけにあたるように調節する必要がない。その結果、補正データ取得作業が容易になり、高速化が可能である。
【００８７】
＜その他の実施形態＞
なお、第３の実施形態にのみ全体成分の補正量を部位やユーザーごとに調節可能としたが、第１の実施形態や第２の実施形態においても全体成分の補正量を計測値に対して調整してもよい。また、全体成分の補正量が少ない場合には、局所成分のみ補正し、全体成分を補正せずに使用することも可能である。
【００８８】
以上、本実施形態に係るＸ線ＣＴ装置は、クロストーク補正を実施する時に、局所的に減衰する成分の補正のみ先に実施し、クロストークの全体成分については画像再構成フィルタと同時に実施する。
これにより、局所的に減衰する成分の演算のみによる演算削減効果と、全体成分演算の削減とにより画像再構成時の演算量が低減し、演算コストの低減と演算スループットが向上するという効果がある。
【符号の説明】
【００８９】
１００  Ｘ線ＣＴ装置
２００  入力手段
２１０  撮影条件入力部
２１１  キーボード
２１２  マウス
２１３  モニタ
３００  撮影手段
３１０  Ｘ線発生部
３１１  Ｘ線管
３２０、３２０a  Ｘ線検出部
３２１、３２１a、３２１ｂ、３２１ｃ、３２１ｄ、３２１ｅ、３２１ｆ、３２１ｇ、３２１ｈ  Ｘ線検出器
３２２  検出器モジュール、モジュール
３３０  ガントリー
３３１  開口部
３３２  回転板
３４０  撮影制御部
３４１  Ｘ線制御器
３４２  ガントリー制御器
３４３  テーブル制御器
３４４  検出器制御器
３４５  統括制御器
４００  画像生成部
４１０  信号収集部
４１１  データ収集システム、ＤＡＳ
４２０  データ処理部
４２１  中央処理装置
４２２  メモリ
４２３  ＨＤＤ装置
４４０  画像表示部
４４１  画像表示モニタ
５００  被写体
５０１  被写体搭載用テーブル
５０３  遮蔽体
５０４  クロストーク誤差測定ファントム、ファントム
５１０  クロストーク誤差判定画像
５１１  アーチファクト
【図１】
0005579505.tif 000011
【図２】
0005579505.tif 000012
【図３】
0005579505.tif 000013
【図４】
0005579505.tif 000014
【図５】
0005579505.tif 000015
【図６】
0005579505.tif 000016
【図７】
0005579505.tif 000017
【図８】
0005579505.tif 000018